(57)【要約】【課題】マルチフィルムを迅速にしかも正確な円形に切り抜くことができるばかりでなく、植栽穴も同時に掘削することができるマルチフィルムカッター付植栽穴掘削器を提供する。【解決手段】マルチフィルムカッター付植栽穴掘削器１を、中空シャフト２と、中空シャフト２の下端に取付けられた円筒刃３と、中空シャフト２が挿通されるガイド筒５から円筒刃３を囲む状態で取付けられた保護枠４と、中空シャフト２を上下に貫通して設けられ下端に円盤状の押し出し板６ａが設けられると共に、上端に係止ピン６ｂが直交して取り付けられた押し出しシャフト６と、中空シャフト２に取り付けられたスプリング受け具７（７ａ及び７ｂ）と、これらスプリング受け具７（７ａ及び７ｂ）の間に配置されるコイルスプリング８とから構成する。【選択図】  図１
0003128578.tif 000002
【実用新案登録請求の範囲】
【請求項１】
中空シャフトと、該中空シャフトの下端に連結された円筒刃と、該円筒刃を囲んで取付けられた保護枠と、前記中空シャフトに遊嵌され中空シャフトの昇降動作を弾発付勢するスプリングとからなるマルチフィルムカッター付植栽穴掘削器において、前記中空シャフト内を昇降自在に貫通された土押し出しシャフトと、該土押し出しシャフトの下端に取り付けられ前記円筒刃内に収容される土押し出し板を備えたことを特徴とするマルチフィルムカッター付植栽穴掘削器。
【考案の詳細な説明】
【技術分野】
【０００１】
本考案は、鉢苗を植栽する際にマルチフィルムに穴を開けると同時に、土壌に植栽穴を掘削するために使用されるマルチフィルムカッター付植栽穴掘削器に関する。
【背景技術】
【０００２】
マルチフィルムは、高品質で安定した生産をするために野菜や花卉の栽培に用いられている。このマルチフィルムで被覆した土壌に植栽穴を開ける際にマルチフィルムをカットする作業は必須であるが、この作業に用いる用具としては、カッターナイフや円形に切り抜くマルチフィルムカッターがある。しかしながら、カッターナイフや円形に切り抜くマルチフィルムカッターでは、迅速に切り抜くためにかなりの熟練を要していた。
【０００３】
そこで、例えば、中空軸の上部にハンドルを付け、下部に円筒刃を付け、棒の上部にハンドルを付け下部に円柱と踏み板を付け、ハンドルを片手で押し下げてマルチフィルムを切ってハンドルを上げ、双方のハンドルを両手でにぎり踏み板を足で踏むと穴ができるようにされた器具（特許文献１参照。）や、縦柄と、縦柄２の下端に取付け取り外し自在に取り付けられた十文字カッター部と、縦柄の下端に十文字カッター部を囲む状態で取付けられた保護枠と、横カッターガイドと、縦カッターガイドと、スプリング止め具と、コイルスプリングから構成され、植え穴をワンタッチで切り開くことができる器具等が提案されている。
【０００４】
【特許文献１】特開２００４−２２２６９５号公報
【特許文献２】特開２００２−１５９２２７号公報
【考案の開示】
【考案が解決しようとする課題】
【０００５】
本考案もまた前記従来技術の課題に鑑み、マルチフィルムを迅速にしかも正確な円形に切り抜くことができるばかりでなく、植栽穴も同時に掘削することができるマルチフィルムカッター付植栽穴掘削器を提供することを目的とする。
【０００６】
このため本考案のマルチフィルムカッター付植栽穴掘削器は、中空シャフトと、該中空シャフトの下端に連結された円筒刃と、該円筒刃を囲んで取付けられた保護枠と、前記中空シャフトに遊嵌され中空シャフトの昇降動作を弾発付勢するスプリングとからなるマルチフィルムカッター付植栽穴掘削器において、前記中空シャフト内を昇降自在に貫通された土押し出しシャフトと、該土押し出しシャフトの下端に取り付けられ前記円筒刃内に収容される土押し出し板を備えたことを特徴とする。
【考案の効果】
【０００７】
（１）マルチフィルムを迅速にしかも正確な円形に切り抜くことができるばかりでなく、植栽穴も同時に掘削することができる。
（２）円筒刃内に溜まった土を押し出し板により排出することができ、連続作業が容易になる。
【考案を実施するための最良の形態】
【０００８】
以下、本考案の実施の形態を図面に示す実施例にもとづき説明する。
図１は本考案に係るマルチフィルムカッター付植栽穴掘削器を示す斜視図、図２は図１の要部断面図、図３は使用状態を示す断面図である。
【実施例】
【０００９】
１は本考案に係るマルチフィルムカッター付植栽穴掘削器で、中空シャフト２と、中空シャフト２の下端に取付けられた円筒刃３と、中空シャフト２が挿通されるガイド筒５から円筒刃３を囲む状態で取付けられた保護枠４と、中空シャフト２を上下に貫通して設けられ下端に円盤状の土押し出し板６ａが設けられると共に、上端に係止ピン６ｂが直交して取り付けられた土押し出しシャフト６と、中空シャフト２に取り付けられたスプリング受け具７（７ａ及び７ｂ）と、これらスプリング受け具７（７ａ及び７ｂ）の間に配置されるコイルスプリング８とから構成されている。
【００１０】
中空シャフト２は、所定の長さの円管の上端に合成樹脂製のグリップ２ａが取り付けられ、グリップ２ａの頂部には、押し出しシャフト６が挿通可能な透孔２ｂが形成されている。
【００１１】
円筒刃３は、上板に土押し出しシャフト６が挿通可能な透孔３ｂが形成されると共に、この透孔３ｂに連通して中空シャフト２の下端が連結されている。また円筒刃３の下端にはマルチフイルムを切り抜くための複数の鋸刃３ａが形成されている。
【００１２】
保護枠４は、中心に中空シャフト２が昇降自在に貫入されるガイド筒５と、ガイド筒５を中心に三方に配設された保護アーム４ａと、保護アーム４ａの下端に連結された円環状のフィルム押え４ｂから構成されている。各保護アーム４ａは略逆Ｌ字状で、上端はガイド筒５の側面に連結され、下端は円環状のフィルム押え４ｂに連結されている。この場合、フィルム押え４ｂの直径は、円筒刃３の直径より大に構成されている。
【００１３】
スプリング受け具７は、ガイド筒５の上端に配され中空シャフト２に遊嵌された皿状の下リング７ｂと、中空シャフト２の中間に割りピン９止めされた上リング７ａから構成されている。そして、コイルスプリング８は、中空シャフト２の中間から下方部分に遊嵌され、上端は上リング７ａに接し、下端は保護枠４のガイド筒５に接するよう構成され、中空シャフト２の昇降動作を弾発付勢する。
【００１４】
以上のように構成されたマルチフィルムカッター付植栽穴掘削器１は、次のように使用する。
図３（ａ）に示すように、先ず、マルチシート１０で被覆された畝（土壌）１１の植栽穴１１ａを掘削すべき場所をフィルム押え４ｂにて押圧する。次いで、図３（ｂ）に示すように、円筒刃３を回転させながら中空シャフト２を押し下げることで、鋸刃３ａによりマルチシート１０が円形にカットされると共に、植栽穴１１ａが掘削される。その際、円筒刃３内に貯留した土１１により土押し出し板６ａが押し上げられる。最後に、図３（ｃ）に示すように、土押し出しシャフト６を押し下げることで、円筒刃３内に貯留した土１１を排出することができる。
【図面の簡単な説明】
【００１５】
【図１】本考案に係るマルチフィルムカッター付植栽穴掘削器を示す斜視図である。
【図２】図１の要部断面図である。
【図３】使用状態を示す断面図である。
【符号の説明】
【００１６】
１    マルチフィルムカッター付植栽穴掘削器
２    中空シャフト
２ａ  グリップ
２ｂ  グリップの透孔
３    円筒刃
３ａ  鋸刃
３ｂ  円筒刃の透孔
４    保護枠
４ａ  保護アーム
４ｂ  フィルム押さえ
５    ガイド筒
６    土押し出しシャフト
６ａ  土押し出し板
６ｂ  係止ピン
７    スプリング受け具
７ａ  スプリング受け具の上リング
７ｂ  スプリング受け具の下リング
８    コイルスプリング
９    割りピン
１０  マルチフィルム
１１  畝（土嬢）
１１ａ植栽穴
【図１】
0003128578.tif 000003
【図２】
0003128578.tif 000004
【図３】
0003128578.tif 000005